(57)【要約】  本発明による無線通信システムは，データブロック及び／又は制御データの通信のスループットの低下を抑制しつつ，制御データの通信の信頼性の向上を実現する。本発明による無線通信システムは，基地局（１）と移動局（２）とを備えている。移動局（２）は，所定の送信時間間隔で，複数のデータブロックを基地局（１）に送信可能に構成されている。基地局（１）と移動局（２）のうちの一方は，複数のデータブロックの送信の制御のために使用される複数の制御データを生成し，複数の制御データから複数の制御メッセージを生成し，且つ，前記送信時間間隔と同一の時間間隔で，複数の制御メッセージを，基地局（１）と移動局（２）の他方に送信可能に構成されている。複数の制御データのそれぞれは，複数の制御メッセージのうちのＭ個の制御メッセージの生成に使用され，複数の制御メッセージのそれぞれは，前記複数の制御データのうちのＭ個の制御データから生成される。【特許請求の範囲】
【請求項１】
第１通信装置と，
第２通信装置
とを備え，
前記第１通信装置は，所定の送信時間間隔で，複数のデータブロックを第２通信装置に送信可能に構成され，
前記第１通信装置と前記第２通信装置とのうちの一方の通信装置は，前記複数のデータブロックの送信の制御のために使用される複数の制御データを生成し，前記複数の制御データから複数の制御メッセージを生成し，且つ，前記送信時間間隔と同一の時間間隔で，前記複数の制御メッセージを，前記第１通信装置と前記第２通
信装置とのうちの他方の通信装置に送信可能に構成され，
前記複数の制御データのそれぞれは，前記複数の制御メッセージのうちのＭ個の制御メッセージの生成に使用され，
前記複数の制御メッセージのそれぞれは，前記複数の制御データのうちのＭ個の制御データから生成される
無線通信システム。
【請求項２】
請求項１に記載の無線通信システムであって，
前記複数の制御データから生成される前記複数の制御メッセージは，前記第２通信装置から前記第１通信装置に送信され，
前記複数の制御データのそれぞれは，前記複数のデータブロックのそれぞれが前記第２通信装置によって正しく受信されたか否かを示す誤り判定データを含む
無線通信システム。
【請求項３】
請求項２に記載の無線通信システムであって，
前記第１通信装置は，前記複数の制御メッセージから前記誤り判定データを再生し，且つ，再生された前記誤り判定データに応答して，前記複数のデータブロックのうち，前記第２通信装置によって正しく受信されていないデータブロックを前記第２通信装置に再送する
無線通信システム。
【請求項４】
請求項１に記載の無線通信システムであって，
前記複数の制御データから生成される前記複数の制御メッセージは，前記第２通信装置から前記第１通信装置に送信され，
前記複数の制御データのそれぞれは，前記第２通信装置が前記データブロックの送信に許可される最大の伝送速度を前記第１通信装置に指示する伝送速度指示データを含む，
無線通信システム。
【請求項５】
請求項４に記載の無線通信システムであって，
前記第１通信装置は，前記複数の制御メッセージから前記伝送速度指示データを再生し，且つ，再生された前記伝送速度指示データに応答して，前記複数のデータブロックの送信の伝送速度を制御する
無線通信システム。
【請求項６】
請求項１に記載の無線通信システムであって，
前記複数の制御データから生成される前記複数の制御メッセージは，前記第１通信装置から前記第２通信装置に送信され，
前記複数の制御データのそれぞれは，前記第１通信装置が，前記データブロックの送信に許可される最大の伝送速度の変更を前記第２通信装置に要求する伝送速度要求データを含む，
無線通信システム。
【請求項７】
請求項６に記載の無線通信システムであって，
前記第２通信装置は，前記複数の制御メッセージから前記伝送速度要求データを再生し，且つ，再生された前記伝送速度要求データに応答して，前記データブロックの送信に許可される最大の伝送速度を調節する
無線通信システム。
【請求項８】
請求項１に記載の無線通信システムであって，
前記複数の制御データから生成される前記複数の制御メッセージは，前記第１通信装置から前記第２通信装置に送信され，
前記複数の制御データのそれぞれは，前記第１通信装置が前記データブロックの送信前に，前記データブロックを蓄積する送信バッファのデータ量を示すデータ量データを含み，
無線通信システム。
【請求項９】
請求項８に記載の無線通信システムであって，
前記第２通信装置は，前記複数の制御メッセージから前記データ量データを再生し，且つ，再生された前記データ量データに応答して，前記データブロックの送信に許可される最大の伝送速度を調節する
とを備える
無線通信システム。
【請求項１０】
請求項１に記載の無線通信システムであって，
前記複数の制御メッセージのそれぞれは，Ｍ個のフィールドを備え，
前記一の制御データは，前記一の制御データに対応する前記Ｍ個の制御メッセージの第１制御メッセージの前記第１フィールドと，前記Ｍ個の制御メッセージの第２制御メッセージの前記第２フィールドと，・・・，前記Ｍ個の制御メッセージの第Ｍ制御メッセージの前記第Ｍフィールドとに格納され，
前記他方の通信装置は，前記第１制御メッセージの前記第１フィールドと，前記第２制御メッセージの前記第２フィールドと，・・・，前記第Ｍ制御メッセージの前記第Ｍフィールドとについての軟判定を行うことによって前記一の制御データを再生する
無線通信システム。
【請求項１１】
請求項１に記載の無線通信システムであって，
前記一の制御データに対応する前記Ｍ個の制御メッセージのそれぞれは，それぞれの生成に使用される前記Ｍ個の制御データに応じて所定の複数のビット系列のうちから選択される一の選択ビット系列を含み，
前記他方の通信装置は，前記複数の制御メッセージのそれぞれについて軟判定を行うことによって，前記複数の制御メッセージのそれぞれの最も確からしいビット系列を決定し，前記一の制御データに対応する前記Ｍ個の制御メッセージの前記最も確からしいビット系列のそれぞれから，前記一の制御データのＭ個の候補を決定し，且つ，前記一の制御データに対応する前記Ｍ個の制御メッセージそれぞれの，前記軟判定において算出される信頼度に基づいて，前記Ｍ個の候補のうちから，前記一の制御データを最終的に決定するように構成された
無線通信システム。
【請求項１２】
（ａ）  所定の送信時間間隔で，複数のデータブロックを第１通信装置から第２通信装置に送信するステップと，
（ｂ）  前記複数のデータブロックの通信の制御のために使用される複数の制御データを生成するステップと，
（ｃ）  前記複数の制御データから，複数の制御メッセージを生成するステップと，
（ｄ）  前記送信時間間隔と同一の時間間隔で，前記複数の制御メッセージを，前記第１通信装置と前記第２通信装置とのうちの一方の通信装置から他方の通信装置
に送信するステップ
とを備え，
前記複数の制御データのそれぞれは，前記複数の制御メッセージのうちのＭ個の制御メッセージの生成に使用され，
前記複数の制御メッセージのそれぞれは，前記複数の制御データのうちのＭ個の制御データから生成される
無線通信方法。
【請求項１３】
第１通信装置と，
前記第１通信装置と無線通信を行う第２通信装置
とを備え，
前記第１通信装置は，所定の送信時間間隔で，複数のデータブロックを第２通信装置に送信可能にするように構成され，
前記第１通信装置と前記第２通信装置とのうちの一方の通信装置は，前記複数のデータブロックの送信の制御のために使用される複数の制御データを生成し，前記複数の制御データから複数の制御メッセージを生成し，且つ，前記送信時間間隔と同一の時間間隔で，前記複数の制御メッセージを，前記第１通信装置と前記第２通信装置とのうちの他方の通信装置に送信可能に構成され，
前記複数の制御データのそれぞれは，前記複数の制御メッセージのうちのＭ個の制御メッセージの生成に使用され，
前記複数の制御メッセージのそれぞれは，前記複数の制御データのうちのＭ個の制御データから生成される
無線無線通信システム。
【請求項１４】
所定の送信時間間隔で，複数のデータブロックを送信する送信処理部と，
前記複数のデータブロックの通信の制御のために使用される複数の制御データを生成する制御データ生成部と，
前記複数の制御データから複数の制御メッセージを生成する制御メッセージ生成部
とを備え，
前記送信処理部は，前記複数の制御メッセージを前記送信時間間隔で送信し，
前記制御メッセージ生成部は，前記複数の制御データのそれぞれを，前記複数の制御メッセージのうちのＭ個の制御メッセージの生成に使用し，且つ，前記複数の制御メッセージのうちのそれぞれを，前記複数の制御データのうちのＭ個の制御データから生成する
無線通信装置。
【請求項１５】
所定の送信時間間隔で，複数のデータブロックを送信する送信処理部と，
前記所定の送信時間間隔で送信される複数の制御メッセージを受信する受信処理部と，
前記複数の制御メッセージから，前記複数のデータブロックの通信の制御のために使用される複数の制御データを再生する制御データ判定部
とを備え，
前記複数の制御メッセージのそれぞれは，前記複数の制御データのうちのＭ個の制御データから，前記複数の制御データのそれぞれが前記複数の制御メッセージのうちのＭ個の制御メッセージの生成に使用されるように生成され，
前記制御データ判定部は，前記複数の制御データのそれぞれを，前記複数の制御メッセージの，対応する前記Ｍ個の制御メッセージから再生する
無線通信装置。
【請求項１６】
所定の送信時間間隔で送信される複数のデータブロックを受信する受信処理部と，
前記複数のデータブロックの通信の制御のために使用される複数の制御データを生成する制御データ生成部と，
前記複数の制御データから複数の制御メッセージを生成する制御メッセージ生成部と，
前記複数の制御メッセージを前記所定の送信時間間隔で送信する送信処理部
とを備え，
前記制御メッセージ生成部は，前記複数の制御データのそれぞれを，前記複数の制御メッセージのうちのＭ個の制御メッセージの生成に使用し，且つ，前記複数の制御メッセージのうちのそれぞれを，前記複数の制御データのうちのＭ個の制御データから生成する
無線通信装置。
【請求項１７】
所定の送信時間間隔で送信される複数のデータブロックと，前記所定の送信時間間隔で送信される複数の制御メッセージとを受信する受信処理部と，
前記複数の制御メッセージから，前記複数のデータブロックの通信の制御のために使用される複数の制御データを再生する制御データ判定部
とを備え，
前記複数の制御メッセージのそれぞれは，前記複数の制御データのうちのＭ個の制御データから，前記複数の制御データのそれぞれが前記複数の制御メッセージのうちのＭ個の制御メッセージの生成に使用されるように生成されており，
前記制御データ判定部は，前記複数の制御データのそれぞれを，前記複数の制御メッセージの，対応する前記Ｍ個の制御メッセージから再生する
無線通信装置。
【請求項１８】
基地局と，
所定の送信時間間隔で，複数のデータブロックを基地局に送信可能に構成された移動局
とを備え，
前記移動局と前記基地局とのうちの一方は，前記複数のデータブロックの前記基地局への送信の制御のために使用される複数の制御データを生成し，前記複数の制御データから複数の制御メッセージを生成し，且つ，前記送信時間間隔と同一の時間間隔で，前記複数の制御メッセージを，前記移動局と前記基地局とのうちの他方に送信可能に構成され，
前記複数の制御データのそれぞれは，前記複数の制御メッセージのうちのＭ個の制御メッセージの生成に使用され，
前記複数の制御メッセージのそれぞれは，前記複数の制御データのうちのＭ個の制御データから生成される
ＷＣＤＭＡシステム。
【請求項１９】
請求項１８に記載のＷＣＤＭＡシステムであって，
前記複数の制御データから生成される前記複数の制御メッセージは，前記基地局から前記移動局に送信され，
前記複数の制御データのそれぞれは，前記複数のデータブロックのそれぞれが前記基地局によって正しく受信されたか否かを示す誤り判定データを含む
ＷＣＤＭＡシステム。
【請求項２０】
請求項１９に記載のＷＣＤＭＡシステムであって，
前記移動局は，前記複数の制御メッセージから前記誤り判定データを再生し，且つ，再生された前記誤り判定データに応答して，前記複数のデータブロックのうち，前記基地局によって正しく受信されていないデータブロックを前記基地局に再送する
ＷＣＤＭＡシステム。
【請求項２１】
請求項１８に記載のＷＣＤＭＡシステムであって，
前記複数の制御データから生成される前記複数の制御メッセージは，前記基地局から前記移動局に送信され，
前記複数の制御データのそれぞれは，前記移動局の許可ＴＦＣ（allowed transport format combination）の変更を指示するＴＦＣ更新指示を含む，
ＷＣＤＭＡシステム。
【請求項２２】
請求項２１に記載のＷＣＤＭＡシステムであって，
前記移動局は，前記複数の制御メッセージから前記許可ＴＦＣ指示を再生し，且つ，再生された前記ＴＦＣ更新指示に応答して，前記許可ＴＦＣを制御する
ＷＣＤＭＡシステム。
【請求項２３】
請求項１８に記載のＷＣＤＭＡシステムであって，
前記複数の制御データから生成される前記複数の制御メッセージは，前記移動局から前記基地局に送信され，
前記複数の制御データのそれぞれは，前記移動局が，前記移動局の許可ＴＦＣの変更を前記基地局に要求するＴＦＣ更新要求を含む，
ＷＣＤＭＡシステム。
【請求項２４】
請求項２３に記載のＷＣＤＭＡシステムであって，
前記基地局は，前記複数の制御メッセージから前記ＴＦＣ更新要求を再生し，且つ，再生された前記ＴＦＣ更新要求に応答して，前記移動局の前記許可ＴＦＣを調節する
ＷＣＤＭＡシステム。
【請求項２５】
請求項１８に記載のＷＣＤＭＡシステムであって，
前記複数の制御データから生成される前記複数の制御メッセージは，前記移動局から前記基地局に送信され，
前記複数の制御データのそれぞれは，前記移動局が前記データブロックの送信前に，前記データブロックを蓄積する送信バッファのデータ量を示すデータ量データ
を含む
ＷＣＤＭＡシステム。
【請求項２６】
請求項２５に記載の無線通信システムであって，
前記基地局は，前記複数の制御メッセージから前記データ量データを再生し，且つ，再生された前記データ量データに応答して，前記移動局の前記許可ＴＦＣを調節する
ＷＣＤＭＡシステム。
【発明の詳細な説明】
【技術分野】
【０００１】
本発明は，通信技術に関し，特に，ＷＣＤＭＡシステムに好適に使用される通信技術に関する。
【背景技術】
【０００２】
移動体通信システムは，しばしば，データブロック（パケット）を所定の通信間隔で通信すると共に，そのデータブロックの通信を制御するための制御データを，データブロックと同一の通信間隔で通信可能であるように構成される。【０００３】
このような移動体通信システムの一例が，Ｅ−ＤＣＨ（enhanced dedicated channel）を採用する移動体通信システムである（３ＧＧＰ  ＴＲ２５．８９６  ｖ２．０．０  "Feasibility Study for Enhanced
Uplink for UTRA FDD" (2004-03)参照）。Ｅ−ＤＣＨ（enhanced dedicated channel）は，ＷＣＤＭＡ（Wideband Code Division Multiple Access）システムへの適用が検討されている重要な規格の一つである。Ｅ−ＤＣＨでは，ＨＡＲＱ（hybrid Automatic Repeat Request）の導入が検討されており，Ｅ−ＤＣＨにＨＡＲＱを採用する移動体通信システムは，データブロックとＡＣＫ／ＮＡＣＫメッセージ（acknowledgement / negative acknowledgement）とが，いずれも，所定のＴＴＩ（transmission time interval）ごとに基地局と移動局との間で通信可能であるように構成されている。ＡＣＫ／ＮＡＣＫメッセージとは，データブロックを受信する受信側が，そのデータブロックを送信した送信側に，データブロックを正しく受信したか否かを通知するための制御データである。ＡＣＫ／ＮＡＣＫメッセージは，送信側が，データブロックを再送するべきか否かを判断するために使用される。例えば，移動局が基地局にデータブロックを送信する場合には，基地局は，下り回線（downlink）を介してＡＣＫ／ＮＡＣＫメッセージを送信することにより，データブロックを正しく受信したか否かを移動局に通知する。ＡＣＫ／ＮＡＣＫメッセージにより，あるデータブロックが正しく受信されていないことを認識すると，送信側は，そのデータブロックを再送する。【０００４】
加えて，Ｅ−ＤＣＨを採用する移動体通信システムは，各ＴＴＩ毎に，ＲＲメッセージ（rate request：伝送速度要求），及びＲＧメッセージ（rate grant：伝送速度承認）を基地局と移動局との間で通信可能であるように構成されている。ＲＲメッセージとは，移動局が，上り回線の伝送速度の最大値の変更を基地局に要求す
る役割をする制御データである。当業者に周知であるように，Ｅ−ＤＣＨを採用する移動体通信システムでは，移動局には，複数のＴＦＣ（transport format combinations）から構成されるＴＦＣＳ（transport format combination set）が用意される。基地局は，そのＴＦＣＳのうちから許可ＴＦＣ（allowed transport format combinations）を決定し，その許可ＴＦＣの組を移動局に通知する。移動局は，許可ＴＦＣのうちから一のＴＦＣを選択し，そのＴＦＣを用いて上り回線の通信を行う。ＴＦＣは，それぞれ，互いに異なる伝送速度に対応しているから，許可ＴＦＣを決定することは，伝送速度の最大値を決定することと等価である。ＲＲメッセージは，移動局が，上り回線の許可ＴＦＣ（allowed uplink transport format combination subset）の組の変更を基地局に要求するために使用する制御データである。移動局は，使用できる送信電力の状況，及びサービスの目標伝送速度からＲＲメッセージを生成し，基地局に送信する。ＲＲメッセージを送信することは，移動局が，上り回線の伝送速度の最大値の変更を基地局に要求することと等価である。一方，ＲＧメッセージとは，基地局が，上り回線の伝送速度の最大値を変更する役割をする制御データであり，より具体的には，許可ＴＦＣを変更するために使用される制御データである。許可ＴＦＣを変更することは，上り回線の伝送速度の最大値を変更することと等価であることに留意されたい。許可ＴＦＣの変更は，以下のようにして行われる。移動局には，許可ＴＦＣを指定するＵＥポインタが用意される。ＵＥポインタは，許可ＴＦＣのうち最大の伝送速度に対応するＴＦＣ（以下，最大ＴＦＣという。）を指定する。ＲＧメッセージは，そのＵＥポインタを増減する指示，又は，最大ＴＦＣそのものを示す値で構成される。移動局は，ＲＧメッセージに応答して，ＵＥポインタの値を変更し，これにより，許可ＴＦＣが変更される。【０００５】
このような移動体通信システムにおける一つの課題は，制御データの通信エラーに起因する通信遅延の発生の抑制である。例えば，ＡＣＫ／ＮＡＣＫメッセージの通信エラーの発生は，データブロックの通信遅延の原因となり得る。基地局があるデータパケットを誤って受信し，ＮＡＣＫを通知するＡＣＫ／ＮＡＣＫメッセージ
を移動局に送信したにも関わらず，移動局が，誤って当該ＡＣＫ／ＮＡＣＫメッセージがＡＣＫを示していると認識したとする。この場合，移動局の物理レイヤーは，基地局に送信したデータパケットをバッファから廃棄し，次のデータパケットの送信を開始する。従って，正しく受信されなかったデータパケットを基地局に再送するためには，上位レイヤーから物理レイヤーに当該データパケットを再送する必要がある。これは，データパケットの通信の著しい遅延の原因になる。上位レイヤーから物理レイヤーへの再送ができない場合には，データパケットの喪失を招く。【０００６】
ＲＧメッセージ，ＲＲメッセージについても同様な問題が生じ得る。ＷＣＤＭＡシステムの基地局は，そのノイズライズが品質閾値の近傍に達している場合，最大ＴＦＣを下げるように要求するＲＧメッセージを移動局に送信することによってノイズライズを減少させるように構成されている。ここで，ある基地局のノイズライズとは，当該基地局における総受信電力と雑音電力との比である。しかし，移動局がＲＧメッセージを誤って受信し，最大ＴＦＣを上げるように要求されていると誤って認識する事態が発生すると，移動局は，次のデータブロックを更に伝送速度が高いＴＦＣで伝送する可能性がある。これは，基地局のノイズライズを更に増加させ，上り回線の受信品質の劣化を生じさせる可能性がある。同様に，ＲＲメッセージを誤って受信すると，基地局は，不適切な許可ＴＦＣを移動局に割り当てる可能性がある。例えば，基地局は，ＲＲメッセージの誤受信に起因して，無用に伝送速度が高いＴＦＣの使用を移動局に許可する可能性がある。これは，本当に伝送速度が高いＴＦＣが必要である移動局が，伝送速度の高いＴＦＣを使用することを妨げ得る。加えて，基地局は，ＲＲメッセージの誤受信に起因して，ノイズライズからは最大ＴＦＣを上げることが可能であるにも関わらず，移動局が最大ＴＦＣの引き下げを要求していると誤って判定する可能性がある。これは，移動局の最大ＴＦＣを不適切に引き下げる結果になる。このように，ＲＧメッセージ，ＲＲメッセージの誤受信は，リソースの有効活用を妨げ，スループットの低下及び受信品質の劣化の原因となる。【０００７】
一般に，通信の信頼性を向上するために同一のデータを複数回繰り返して送信する技術が知られており，この技術を，上述のシステムの制御データの通信に適用することは可能である。しかしながら，同一の制御データを複数のＴＴＩに渡って複数回繰り返して送信することは，以下に述べられるように，不所望な結果を招く。第１に，一のデータブロックに対応するＡＣＫ／ＮＡＣＫメッセージを複数回送信することは，データブロックの通信のスループットを不所望に低下させる。図１Ｂに示されているように，あるデータブロックのＡＣＫ／ＮＡＣＫメッセージを２回送信すると，２ＴＴＩあたりで一つのデータブロックしか送信できない。あるデータブロックのＡＣＫ／ＮＡＣＫメッセージを１回だけ送信する場合（図１Ａ参照）と比較すると，あるデータブロックのＡＣＫ／ＮＡＣＫメッセージを２回送信することは，スループットを不所望に低下させることになる。第２に，同一の制御データを複数のＴＴＩに渡って繰り返して送信することは，一のＴＴＩあたりの制御データの伝送速度を不所望に低下させ，制御周期を不所望に増大させる；例えば，同一の制御データを２つのＴＴＩに渡って２回送信する場合，制御データの最小の更新周期は，２ＴＴＩになる。これは，通信制御の応答性を低下させるため好ましくない。【０００８】
制御データの通信の信頼性やスループットを向上するためのアプローチは、他にも様々に提案されている。特開２００１−３０８７１１公報には、８Ｂ／１０Ｂ符号化方法を採用する通信システムにおける制御情報データの通信方法が開示されている。公知のその通信方法は、通信された制御情報符号の誤り検出を可能にするためのものである。送信側では、２２ビット長制御情報データが２つの８ビット長ブロックと、１つの６ビット長ブロックとに分割される。８ビット長ブロックが８Ｂ／１０Ｂ符号化により１０ビット長の制御情報符号に符号化される。更に、２２ビット長制御情報データに対応する２ビット長パリティコントロールが生成され、２ビット長パリティコントロールが６ビット長ブロックに付加されることにより、もう一つの８ビット長ブロックが生成される。その８ビット長ブロックが８Ｂ／１０Ｂ符号化により１０ビット長の制御情報符号に符号化される。【０００９】
特開平６−１９７１５０号公報には、不必要なときにフロー制御のための制御情報の交換を行わないことにより、制御のための通信量を抑制するための技術が開示されている。この技術では、受信側の受信バッファに受信データが格納される時間間隔と、その受信バッファから受信データが出力される時間間隔とに応じて、送信側がデータを送信する送信間隔が制御される。送信間隔が適切に制御されることにより、制御のための通信量が抑制される。【００１０】
特開２００３−１７９５８１号公報には、データパケットが送信される時間間隔と異なる時間間隔でＡＣＫ／ＮＡＣＫメッセージを送ることにより、信号送信オーバヘッドなしにＡＣＫ／ＮＡＣＫメッセージを柔軟に送信する技術が開示されている。【００１１】
特開２０００−７８１１８号公報には、ＡＲＱ制御情報の誤送信に起因する誤処理を少なくするための技術が開示されている。この技術は、送信フレームの複数のブロックに対して誤り訂正符号を含むＡＲＱ制御情報を一つ付加し、応答フレームのＡＣＫ／ＮＡＣＫメッセージの複数のブロックに対してＡＲＱ制御情報を一つ付加する。時間ドメインでは、送信フレームと応答フレームとからなるスーパーフレームが定義され、通信タイミングが最適化される。【００１２】
特開平７−３８５４０号公報には、送信データに対するＡＲＱ制御情報の比率を小さくし、スループットを向上させるための技術が開示されている。この技術では、送信側は、送信データを誤り検出用符号が付加された複数のブロックに分割し、Ｎ個のブロックに対して一つのＡＲＱ制御情報を付加して送信データを送信する。受信側は、各ブロックについて誤り検出を行う。誤りを検出した場合、受信側は、送信側に再送要求を行う。送信側は、再送要求に関連するブロックに対する誤り訂正符号を生成し、その誤り訂正符号をまとめて１つのＡＲＱ制御情報を付加して再送フレームを生成する。受信側は、再送フレームの誤り訂正符号と、受信されている誤りブロックから正しいデータを再生する。【００１３】
特開平７−１２３０７９号公報には、簡単なプロトコルでスループットを維持するための技術を開示している。この技術では、送信側はＭ個のブロックを連続的に送信する、受信側は、このＭ個のブロックについて順次に誤り検出を行う。ｉ番目のブロックに誤りが検出されると、受信側は、ｉ番目からＭ番目までのブロックを廃棄し、ｉ番目のブロックに対する再送要求応答ＮＡＫを返す。送信側は、再送要求応答ＮＡＫに応答して、ｉ番目から（Ｍ＋ｉ−１）番目のブロックを連続的に送信する。受信側では、このＭ個のブロックについて順次に誤り検出を行う。このような処理が、所望の全てのブロックが正しく受信されるまで繰り返される。【００１４】
しかしながら、発明者の検討によれば、これらの従来技術には更に改良の余地がある。
【発明の開示】
【００１５】
本発明の目的は，概略的には，データブロック（パケット）を所定の通信間隔で通信すると共に，そのデータブロックの通信を制御するための制御データを，データブロックと同一の通信間隔で通信可能である通信システムで行われる通信方法を改良することにある。
具体的には，本発明の目的は，かかる通信システムにおいて，データブロック及び／又は制御データの通信のスループットの低下を抑制しつつ，制御データの通信の信頼性の向上を実現するための技術を提供することにある。
【００１６】
本発明の一の観点において、無線通信システムは，第１通信装置と，第２通信装置とを備えている。第１通信装置は，所定の送信時間間隔で，複数のデータブロックを第２通信装置に送信可能にするように構成されている。第１通信装置と第２通信装置とのうちの一方の通信装置は，複数のデータブロックの送信の制御のために使用される複数の制御データを生成し，複数の制御データから複数の制御メッセージを生成し，且つ，送信時間間隔と同一の時間間隔で，複数の制御メッセージを，他方の通信装置に送信可能に構成されている。複数の制御データのそれぞれは，複数の制御メッセージのうちのＭ個の制御メッセージの生成に使用され，複数の制御メッセージのそれぞれは，前記複数の制御データのうちのＭ個の制御データから生成される。
【００１７】
このような無線通信システムでは，一の制御データがＭ個の送信時間間隔に渡って送信されるため，時間ダイバーシティの効果により制御データの通信の信頼性を有効に向上できる。その一方で，複数の制御メッセージのそれぞれは，前記複数の制御データのうちのＭ個の制御データから生成されるから，一の送信時間間隔あたりに一の制御データの通信が可能である。一の制御データを単純にＭ回繰り返して送信する場合と異なり，制御データの通信のスループットの低下は回避される。このように，当該無線通信システムは，制御データの通信のスループットの低下を抑制しつつ，制御データの通信の信頼性の向上を実現することができる。
【００１８】
一の好適な実施形態では，前記複数の制御データのそれぞれが，前記複数のデータブロックのそれぞれが前記第２通信装置によって正しく受信されたか否かを示す誤り判定データを含み，該複数の制御データから生成される前記複数の制御メッセージが，前記第２通信装置から前記第１通信装置に送信される。この場合，第１通信装置は，前記複数の制御メッセージから前記誤り判定データを再生し，且つ，再生された前記誤り判定データに応答して，前記複数のデータブロックのうち，前記第２通信装置によって正しく受信されていないデータブロックを前記第２通信装置に再送することが好適である。このような構成によれば，一の送信時間間隔あたりに一の誤り判定データを，高い信頼度で送信することが可能である。これは，一の送信時間間隔あたりに一のデータブロックを送信することが可能であることと等価である。従って，上記構成の採用により，誤り判定データの通信の信頼性を向上しつつ，データブロック及び誤り判定データの両方の通信のスループットを有効に向上することが可能になる。
【００１９】
他の好適な実施形態では，前記複数の制御データのそれぞれは，前記第２通信装置が前記データブロックの送信に許可される最大の伝送速度を前記第１通信装置に指示する伝送速度指示データを含み，前記複数の制御データから生成される前記複数の制御メッセージは，前記第２通信装置から前記第１通信装置に送信されることが好適である。この場合，第１通信装置は，前記複数の制御メッセージから前記伝送速度指示データを再生し，且つ，再生された前記伝送速度指示データに応答して，前記複数のデータブロックの送信の伝送速度を制御することが好適である。このような構成は，一の送信時間間隔あたりに一の伝送速度指示データを，高い信頼度で送信することを可能にする。これは，通信エラーに起因する通信遅延を抑制しつつ，データブロックの送信に許可される最大の伝送速度の制御の追従性を向上することができる点で好ましい。
【００２０】
更に他の好適な実施形態では，前記複数の制御データのそれぞれは，前記第１通信装置が，前記データブロックの送信に許可される最大の伝送速度の変更を前記第２通信装置に要求する伝送速度要求データを含み，前記複数の制御データから生成される前記複数の制御メッセージは，前記第１通信装置から前記第２通信装置に送信されることが好適である。この場合，第２通信装置は，前記複数の制御メッセージから前記伝送速度要求データを再生し，且つ，再生された前記伝送速度要求データに応答して，前記データブロックの送信に許可される最大の伝送速度を調節することが好ましい。このような構成は，一の送信時間間隔あたりに一の伝送速度要求データを，高い信頼度で送信することを可能にする。これは，通信エラーに起因する通信遅延を抑制しつつ，データブロックの送信に許可される最大の伝送速度の制御の追従性を向上することができる点で好ましい。
【００２１】
更に他の好適な実施形態では，前記複数の制御データのそれぞれは，前記第１通信装置が前記データブロックの送信前に，前記データブロックを蓄積する送信バッファのデータ量を示すデータ量データを含み，前記複数の制御データから生成される前記複数の制御メッセージは，前記第１通信装置から前記第２通信装置に送信される。この場合，第２通信装置は，前記複数の制御メッセージから前記データ量データを再生し，且つ，再生された前記データ量データに応答して，前記データブロックの送信に許可される最大の伝送速度を調節することが好適である。このような構成は，一の送信時間間隔あたりに一のデータ量データを，高い信頼度で送信することを可能にする。これは，通信エラーに起因する通信遅延を抑制しつつ，データブロックの送信に許可される最大の伝送速度の制御の追従性を向上することができる点で好ましい。
【００２２】
制御メッセージからの制御データの再生は，具体的には，下記のようにして行われることが好適である。好適な実施形態において，前記複数の制御メッセージのそれぞれは，Ｍ個のフィールドを備え，前記一の制御データは，前記一の制御データに対応する前記Ｍ個の制御メッセージの第１制御メッセージの前記第１フィールドと，前記Ｍ個の制御メッセージの第２制御メッセージの前記第２フィールドと，・・・，前記Ｍ個の制御メッセージの第Ｍ制御メッセージの前記第Ｍフィールドとに格納される。この場合，前記他方の通信装置は，前記第１制御メッセージの前記第１フィールドと，前記第２制御メッセージの前記第２フィールドと，・・・，前記第Ｍ制御メッセージの前記第Ｍフィールドとについての軟判定を行うことによって前記一の制御データを再生する。
【００２３】
他の好適な実施形態では，前記一の制御データに対応する前記Ｍ個の制御メッセージのそれぞれは，それぞれの生成に使用される前記Ｍ個の制御データに応じて所定の複数のビット系列のうちから選択される一の選択ビット系列を含み，前記他方の通信装置は，前記複数の制御メッセージのそれぞれについて軟判定を行うことによって，前記複数の制御メッセージのそれぞれの最も確からしいビット系列を決定し，前記一の制御データに対応する前記Ｍ個の制御メッセージの前記最も確からしいビット系列のそれぞれから，前記一の制御データのＭ個の候補を決定し，且つ，前記一の制御データに対応する前記Ｍ個の制御メッセージそれぞれの，前記軟判定において算出される信頼度に基づいて，前記Ｍ個の候補のうちから，前記一の制御データを最終的に決定するように構成される。
【００２４】
このような無線通信システムは，Ｅ−ＤＣＨに対応したＷＣＤＭＡシステムに応用されることが好適である。具体的には，本発明によるＷＣＤＭＡシステムは，基地局と，所定の送信時間間隔で，複数のデータブロックを基地局に送信可能に構成された移動局とを備えている。移動局と基地局とのうちの一方は，前記複数のデータブロックの前記基地局への送信の制御のために使用される複数の制御データを生成し，前記複数の制御データから複数の制御メッセージを生成し，且つ，前記送信時間間隔と同一の時間間隔で，前記複数の制御メッセージを，前記移動局と前記基地局とのうちの他方に送信可能に構成される。前記複数の制御データのそれぞれは，前記複数の制御メッセージのうちのＭ個の制御メッセージの生成に使用され，前記複数の制御メッセージのそれぞれは，前記複数の制御データのうちのＭ個の制御データから生成される。
【００２５】
当該ＷＣＤＭＡシステムにおいて，ＨＡＲＱを実現するためには，前記複数の制御データから生成される前記複数の制御メッセージは，前記基地局から前記移動局に送信され，前記複数の制御データのそれぞれは，前記複数のデータブロックのそれぞれが前記基地局によって正しく受信されたか否かを示す誤り判定データを含むことが好適である。この場合，前記移動局は，前記複数の制御メッセージから前記誤り判定データを再生し，且つ，再生された前記誤り判定データに応答して，前記複数のデータブロックのうち，前記基地局によって正しく受信されていないデータブロックを前記基地局に再送することが好適である。
【００２６】
加えて，当該ＷＣＤＭＡシステムにおいて，許可ＴＦＣの好適な制御を実現するためには，前記複数の制御データのそれぞれは，前記移動局の許可ＴＦＣ（allowed transport format combination）の変更を指示するＴＦＣ更新指示を含み，前記複数の制御データから生成される前記複数の制御メッセージは，前記基地局から前記移動局に送信されることが好適である。この場合，前記移動局は，前記複数の制御メッセージから前記許可ＴＦＣ指示を再生し，且つ，再生された前記ＴＦＣ更新指示に応答して，前記許可ＴＦＣを制御する。
【００２７】
また，許可ＴＦＣの好適な制御の実現のためには，前記複数の制御データのそれぞれは，前記移動局が，前記移動局の許可ＴＦＣの変更を前記基地局に要求するＴＦＣ更新要求を含み，前記複数の制御データから生成される前記複数の制御メッセージは，前記移動局から前記基地局に送信されることが好適である。この場合，基地局は，前記複数の制御メッセージから前記ＴＦＣ更新要求を再生し，且つ，再生された前記ＴＦＣ更新要求に応答して，前記移動局の前記許可ＴＦＣを調節する。
【００２８】
加えて，前記複数の制御データのそれぞれは，前記移動局が前記データブロックの送信前に，前記データブロックを蓄積する送信バッファのデータ量を示すデータ量データを含み，前記複数の制御データから生成される前記複数の制御メッセージは，前記移動局から前記基地局に送信されることが好適である。前記基地局は，前記複数の制御メッセージから前記データ量データを再生し，且つ，再生された前記データ量データに応答して，前記移動局の前記許可ＴＦＣを調節する。
【００２９】
本発明により，データブロック（パケット）を所定の通信間隔で通信すると共に，そのデータブロックの通信を制御するための制御データを，データブロックと同一の通信間隔で通信可能である通信システムについて，データブロック及び／又は制御データの通信のスループットの低下を抑制しながら，制御データの通信の信頼性の向上を実現することができる。
【図面の簡単な説明】
【００３０】
【図１Ａ】図１Ａは，一つのＴＴＩに，一つのデータブロック及びＡＣＫ／ＮＡＣＫメッセージを送信する，従来の通信方法を示すダイアグラムである。
【図１Ｂ】図１Ｂは，２つのＴＴＩに渡って，同一のＡＣＫ／ＮＡＣＫメッセージを送信する通信方法を示すダイアグラムである。
【図２】図２は，本発明の一実施形態の移動体通信システムの構成を示すブロック図である。
【図３】図３は，本実施形態のＡＣＫ／ＮＡＣＫメッセージの構成を示すダイアグラムである。
【図４】図４は，本実施形態のＡＣＫ／ＮＡＣＫメッセージの通信方法を示すダイアグラムである。
【図５】図５は，本実施形態の基地局及び移動局の，ＡＣＫ／ＮＡＣＫメッセージの通信に関連する部分の構成を示すブロック図である。
【図６】図６は，本実施形態の，移動局における再生制御の手順を示すフローチャートである。
【図７】図７は，本実施形態のＲＲメッセージの通信方法を示すダイアグラムである。
【図８】図８は，本実施形態において，Ｎ番目のＲＲメッセージ（Ｎ番目のＲＧメッセージ）を生成するために使用される符号化方法を示す表である。
【図９】図９は，本実施形態のＲＧメッセージの通信方法を示すダイアグラムである。
【図１０】図１０は，本実施形態の基地局及び移動局の，ＲＲメッセージ及びＲＧメッセージの通信に関連する部分の構成を示すブロック図である。
【図１１】図１１は，本実施形態の，移動局における許可ＴＦＣの制御の手順を示すフローチャートである。
【発明を実施するための最良の形態】
【００３１】
（移動体通信システムの概要）
本発明の一実施形態では，図２に示されているように，移動体通信システム１０は，ＨＡＲＱを使用するＥ−ＤＣＨに対応するように構成される。具体的には，移動体通信システム１０は，基地局１と移動局２とを備えている。各移動局２は，複数のＴＦＣからなるＴＦＣＳと，ＴＦＣＳのうち移動局２が使用可能な許可ＴＦＣを指定する指定するＵＥポインタとを保持している。【００３２】
基地局１と移動局２とは，上りＥ−ＤＰＤＣＨ４（uplink enhanced dedicated physical data channel），上りＥ−ＤＰＣＣＨ５（uplink enhanced dedicated physical control channel），及び下りＥ−ＤＰＣＣＨ６（downlink E-DPCCH）を介して接続されている。上りＥ−ＤＰＤＣＨ４は，移動局２から基地局１へのデータブロックに使用されるチャネルである。上りＥ−ＤＰＣＣＨ５は，そのデータブロックの送信の制御に使用される制御メッセージを移動局２から基地局１に送信するために使用されるチャネルである。上りＥ−ＤＰＣＣＨを介して送信される制御メッセージとしては，許可ＴＦＣの変更，即ち，ＵＥポインタの変更を基地局１に要求するＲＲメッセージが挙げられる。下りＥ−ＤＰＣＣＨ６は，移動局２から基地局１へのデータブロックの送信の制御に使用される制御メッセージを基地局１から移動局２に送信するために使用される。下りＥ−ＤＰＣＣＨを介して送信される制御メッセージとしては，ＡＣＫ／ＮＡＣＫメッセージ及びＲＧメッセージが挙げられる。ＡＣＫ／ＮＡＣＫメッセージは，基地局１がデータパケットを正しく受信したか否かを移動局２に通知するための制御メッセージである。ＲＧメッセージは，許可ＴＦＣの変更，即ち，ＵＥポインタの変更を移動局２に指示するために使用される制御メッセージである。【００３３】
それぞれ，上りＥ−ＤＰＣＣＨ５，及び下りＥ−ＤＰＣＣＨ６を介して伝送されるＲＲメッセージ及びＲＧメッセージは，各移動局２の許可ＴＦＣの制御に使用される。移動局２は，許可ＴＦＣの最大の伝送速度よりも高い伝送速度でデータブロックを送信する必要がある場合，ＲＲメッセージで基地局１に最大ＴＦＣの引き上げを要求する。逆に，最大ＴＦＣを引き下げても所望の伝送速度でデータブロックを送信できる場合には，ＲＲメッセージで基地局１に最大ＴＦＣの引き下げを要求する。基地局１は，そのノイズライズ，移動局２から送られるＲＲメッセージに応答して，各移動局２に許可ＴＦＣの変更を指示するＲＧメッセージを送信する。これにより，基地局１は，ノイズライズが所定の閾値を超えないように，移動局２の許可ＴＦＣを制御する。【００３４】
下りＥ−ＤＰＣＣＨ６を介して伝送されるＡＣＫ／ＮＡＣＫメッセージは，データブロックの再送制御に使用される。基地局１は，データブロックを受信する毎に，そのデータブロックを正しく受信したか否かを，データブロックに付加されているＣＲＣ（cyclic redundancy check）から判断する。基地局１は，その判断結果をＡＣＫ／ＮＡＣＫメッセージによって移動局２に通知する。基地局１は，Ｎ番目のデータブロックの受信に応答して，Ｎ番目のＡＣＫ／ＮＡＣＫメッセージを生成する。以下では，Ｎ番目のデータブロック，及びＮ番目のＡＣＫ／ＮＡＣＫメッセージは，データブロック＃Ｎ，ＡＣＫ／ＮＡＣＫメッセージ＃Ｎと記載されることがある。データブロック及びＡＣＫ／ＮＡＣＫメッセージは，最小で，１ＴＴＩの時間間隔で送信される。【００３５】
本実施の形態の移動体通信システム１０は，基地局１と移動局２との間のＡＣＫ／ＮＡＣＫメッセージ，ＲＧメッセージ及びＲＲメッセージの生成及び通信に特別な方法を採用している。これにより，移動体通信システム１０は，データブロック及び制御データの通信のスループットの低下の抑制と，制御データの通信の信頼性の向上を同時に実現している。以下では，ＡＣＫ／ＮＡＣＫメッセージ，ＲＧメッセージ，及びＲＲメッセージの通信手順が詳細に説明される。【００３６】
（ＡＣＫ／ＮＡＣＫメッセージの送受信）
図３は，本実施形態で使用されるＡＣＫ／ＮＡＣＫメッセージの内容を示している。本実施形態では，各ＡＣＫ／ＮＡＣＫメッセージは，８ビットのデータであり，４ビットの第１フィールドと，４ビットの第２フィールドとから成る。Ｎ番目のＡＣＫ／ＮＡＣＫメッセージの第１フィールドは，基地局１がＮ番目のデータブロックを正しく受信したか否かを示す誤り判定データ（Ｎ番目の誤り判定データ）を格納するために使用される。Ｎ番目のＡＣＫ／ＮＡＣＫメッセージの第２フィールドは，基地局１が，Ｎ−１番目のデータブロックを正しく受信したか否かを示す誤り判定データ（Ｎ−１番目の誤り判定データ）を格納するために使用される。各誤り判定データは，ＡＣＫを示す場合，即ち，基地局１が対応するデータパケットを正しく受信したことを示す場合には，値”００００”に設定される。一方，ＮＡＣＫを示す場合，即ち，当該データパケットを誤って受信したことを示す場合には，各誤り判定データは，値”１１１１”に設定される。本実施形態における各ＡＣＫ／ＮＡＣＫメッセージは，背景技術に記述されているＡＣＫ／ＮＡＣＫメッセージと，その内容が異なることに留意されたい。【００３７】
図４は，データブロック＃１〜＃４を受信したときに基地局１が生成するＡＣＫ／ＮＡＣＫメッセージ＃１〜＃４の内容を示している。ＡＣＫ／ＮＡＣＫメッセージ＃１〜＃４は，データブロック＃１〜＃４の受信に応答して生成される。ＡＣＫ／ＮＡＣＫメッセージ＃１は，データブロック＃１に対応する誤り判定データ”００００”を第１フィールドに格納している。ＡＣＫ／ＮＡＣＫメッセージ＃２は，データブロック＃２に対応する誤り判定データを第１フィールドに格納し，データブロック＃１に対応する誤り判定データを第１フィールドに格納している。ＡＣＫ／ＮＡＣＫメッセージ＃３，＃４も同様である。【００３８】
移動局２は，ＡＣＫ／ＮＡＣＫメッセージを受信すると，元の誤り判定データを再生する。一の誤り判定データの再生には，２つのＡＣＫ／ＮＡＣＫメッセージが使用される。具体的には，移動局２は，ＡＣＫ／ＮＡＣＫメッセージ＃１の第１フィールドと，ＡＣＫ／ＮＡＣＫメッセージ＃２の第２フィールドとについて軟判定を行い，データブロック＃１に対応する誤り判定データの最も確からしい値を決定する。同様に，移動局２は，ＡＣＫ／ＮＡＣＫメッセージ＃２の第１フィールドと，ＡＣＫ／ＮＡＣＫメッセージ＃３の第２フィールドとについて軟判定を行い，データブロック＃２に対応する誤り判定データの最も確からしい値を決定する。データブロック＃３，＃４に対応する誤り判定データについても同様である。【００３９】
上記の通信手順によってＡＣＫ／ＮＡＣＫメッセージを通信することにより，本実施形態の移動体通信システムは，データブロック及び誤り判定データの通信のスループットを低下させずに，誤り判定データの送信の信頼性の向上を実現することができる。本実施形態の移動体通信システムは，一つの誤り判定データから２つのＡＣＫ／ＮＡＣＫメッセージを生成し，その２つのＡＣＫ／ＮＡＣＫメッセージを２ＴＴＩに渡って送信する。これは，時間ダイバーシティの効果を高め，誤り判定データの送信の信頼性を有効に向上する。その一方で，本実施形態では，各ＡＣＫ／ＮＡＣＫメッセージが二つの誤り判定データから構成されるから，結局，一つのＴＴＩあたり一つの誤り判定データを送信可能である。一つのＴＴＩあたり一つの誤り判定データを送信可能であることは，一つのＴＴＩあたり一つのデータブロックを送信可能であることと等価である。従って，本実施形態の通信システムは，データブロック及び誤り判定データの通信のスループットの低下を回避することができる。【００４０】
図５は，上記の通信手順を実現する基地局１及び移動局２の構成の具体例を示している。図５では，基地局１及び移動局２のうち，ＡＣＫ／ＮＡＣＫメッセージの交換に関与する部分の構成のみが示されていることに留意されたい。【００４１】
基地局１は，受信処理部１１と，受信バッファ１２と，誤り検出部１３とを備えている。受信処理部１１は，上りＥ−ＤＰＤＣＨ４を介して移動局２からデータブロックを受信し，受信したデータブロックを受信バッファ１２に格納する。誤り検出部１３は，データブロックに含まれているＣＲＣを用いて，各データブロックが正しく受信されたかを判断し，各データブロックが正しく受信されたか否かを示す誤り判断データを生成する。誤り判断データの内容は，上述された通りであり，Ｎ番目の誤り判断データは，Ｎ番目のデータブロックが正しく受信されたかを示している。正しく受信されたデータブロックは上位レイヤーに送られ，受信バッファ１２から削除される。一方，誤りが検出されたデータブロックは，受信バッファ１２に残される。【００４２】
基地局１は，更に，ＡＣＫ／ＮＡＣＫメッセージ生成部１４と，送信処理部１５とを備えている。ＡＣＫ／ＮＡＣＫメッセージ生成部１４は，誤り検出部１３から送信される誤り判断データからＡＣＫ／ＮＡＣＫメッセージを生成する機能を有しており，メモリ１４ａとメッセージ生成部１４ｂとを備えている。メモリ１４ａは，誤り検出部１３から送信される誤り判断データを受け取って保存する。メッセージ生成部１４ｂは，メモリ１４ａに保存されている誤り判断データからＡＣＫ／ＮＡＣＫメッセージを生成する。既述の通り，Ｎ番目のＡＣＫ／ＮＡＣＫメッセージは，Ｎ−１番目のデータブロックの誤り判断データと，Ｎ番目のデータブロックの誤り判断データから構成され，Ｎ＋１番目のＡＣＫ／ＮＡＣＫメッセージは，Ｎ番目のデータブロックの誤り判断データと，Ｎ＋１番目のデータブロックの誤り判断データから構成される。送信処理部１５は，生成されたＡＣＫ／ＮＡＣＫメッセージを下りＥ−ＤＰＣＣＨ６を介して，移動局２に送信する。送信処理部１５は，ＡＣＫ／ＮＡＣＫメッセージをＴＴＩ毎に送信可能であるように構成されている。【００４３】
移動局２は，送信バッファ２１と，送信処理部２２と，受信処理部２３と，ＡＣＫ／ＮＡＣＫ判定部２４とを備えている。送信バッファ２１は，上位レイヤーによって生成されたデータブロックを一時的に保存する。送信処理部２２は，送信バッファ２１に蓄積されているデータブロックを上りＥ−ＤＰＤＣＨ４を介して基地局１に送信する。送信処理部２２は，データブロックをＴＴＩ毎に送信可能であるように構成されている。受信処理部２３は，下りＥ−ＤＰＣＣＨ６を介して基地局１からＡＣＫ／ＮＡＣＫメッセージを受信する。ＡＣＫ／ＮＡＣＫ判定部２４は，受信されたＡＣＫ／ＮＡＣＫメッセージから，各データブロックが基地局１によって正しく受信されたかを判定する機能を有しており，バッファ２４ａと軟判定部２４ｂとを備えている。バッファ２４ａは，受信処理部２３によって逐次に受信されたＡＣＫ／ＮＡＣＫメッセージを保存する。軟判定部２４ｂは，バッファ２４ａに保存されているＡＣＫ／ＮＡＣＫメッセージについて軟判定を行い，その軟判定の結果から，各データブロックが基地局１によって正しく受信されたかを判定する。Ｎ番目のデータブロックの判定には，Ｎ番目のＡＣＫ／ＮＡＣＫメッセージの第１フィールドに格納されている誤り判定データと，Ｎ＋１番目のＡＣＫ／ＮＡＣＫメッセージの第２フィールドに格納されている誤り判定データとが使用される。軟判定部２４ｂは，正しく受信されたデータブロックの破棄を破棄指示を生成し，正しく受信されていないデータブロックの再送を指示する再送指示を生成する。【００４４】
図６は，移動局２が，Ｎ番目のデータブロックの送信及び再送を行う手順を示すフローチャートである。【００４５】
Ｎ番目のデータブロックは，移動局２の送信バッファ２１に蓄積された後，送信処理部２２によって上りＥ−ＤＰＤＣＨ４を介して基地局１に送信される（ステップＳ１１）。Ｎ番目のデータブロックは，基地局１に送信された後も送信バッファ２１から削除されないことに留意されるべきである。その後，Ｎ番目のデータブロックの受信に応答して，Ｎ番目のＡＣＫ／ＮＡＣＫメッセージが，基地局１から下りＥ−ＤＰＣＣＨ６を介して移動局２に送信される。Ｎ番目のＡＣＫ／ＮＡＣＫメッセージは，受信処理部２３によって受信され，バッファ２４ａに格納される（ステップＳ１２）。【００４６】
同様に，Ｎ＋１番目のデータブロックが基地局１に送信され，Ｎ＋１番目のデータブロックの受信に応答して，Ｎ＋１番目のＡＣＫ／ＮＡＣＫメッセージが基地局１か移動局２に送信される。Ｎ＋１番目のＡＣＫ／ＮＡＣＫメッセージは，受信処理部２３によって受信され，バッファ２４ａに格納される（ステップＳ１３）。【００４７】
続いて，軟判定部２４ｂにより，Ｎ番目のデータブロックが正しく受信されたか否かの軟判定が行われる（ステップＳ１４）。Ｎ番目のデータブロックの軟判定は，Ｎ番目のＡＣＫ／ＮＡＣＫメッセージの第１フィールドに保存されている誤り判定データと，及びＮ＋１番目のＡＣＫ／ＮＡＣＫメッセージの第２フィールドに保存されて誤り判定データとについて行われる。軟判定部２４ｂは，これらの誤り判定データから，最も確からしい誤り判定データを推定し，推定された誤り判定データに基づいて，Ｎ番目のデータブロックが正しく受信されたかを判断する。Ｎ番目のデータブロックが誤って受信されたと判断した場合，軟判定部２４ｂは，Ｎ番目のデータブロックの再送を指示する再送指示を生成する。送信バッファ２１及び送信処理部２２は，再送指示に応答して，Ｎ番目のデータブロックを再度基地局１に送信する（ステップＳ１５）。一方，Ｎ番目のデータブロックが正しく受信されたと判断した場合，軟判定部２４ｂは，Ｎ番目のデータブロックの破棄を指示する破棄指示を生成する。送信バッファ２１及び送信処理部２２は，破棄指示に応答してＮ番目のデータブロックを破棄すると共に，次のデータブロックを基地局１に送信する（ステップＳ１６）。【００４８】
このような移動局２の動作は，上述の通信手順を具体的に実現するものであることは，容易に理解されよう。【００４９】
（ＲＲメッセージ及びＲＧメッセージの交換）
本実施形態では，図７に示されているように，移動局２におけるＮ番目のＲＲメッセージ（ＲＲメッセージ＃Ｎ）の生成は，Ｎ−１番目のデータパケットの送信に同期して生成される更新要求（更新要求＃Ｎ−１）と，Ｎ番目のデータパケットの送信に同期して生成される更新要求（更新要求＃Ｎ）とを符号化することによって
行われる。更新要求とは，基地局１に許可ＴＦＣの変更を要求する制御データである。更新要求には，”Ｕｐ”，”Ｄｏｗｎ”の２種類がある。”ＵＰ”の更新要求は，最大ＴＦＣの引き上げを要求するために使用され，”Ｄｏｗｎ”の更新要求は，最大ＴＦＣの引き上げを要求するために使用される。本実施形態の更新要求とは，背景技術で記述されているＲＲメッセージの内容と同一であることに留意されたい。以下では，ｉ番目のデータパケットの送信に同期して生成される更新要求は，単に，ｉ番目の更新要求と記載される。【００５０】
図８は，Ｎ−１番目の更新要求とＮ番目の更新要求とから生成されるＮ番目のＲＲメッセージのビット系列を示す表である。例えば，Ｎ−１番目の更新要求が，Ｎ番目の更新要求の両方が”ＵＰ”である場合には，ＲＲメッセージの値は，”００００００”に設定される。他の場合も同様である。【００５１】
図７に戻って，移動局２によって逐次に生成されたＲＲメッセージは，上りＥ−ＤＰＣＣＨ５を介して基地局１に送信される。ＲＲメッセージの最小の送信間隔は，１ＴＴＩである。ＲＲメッセージを受信すると，基地局１は，軟判定を行うことによって，図８に示されているビット系列のうちから最も確からしいビット系列を
決定し，その最も確からしいビット系列から元の更新要求を認識する。更に，基地局１は，Ｎ番目の更新要求の内容を，最終的に，Ｎ番目，及びＮ＋１番目のＲＲメッセージから認識される更新要求から決定する。例えば，図７において，更新要求＃２の内容の決定は，ＲＲメッセージ＃２，＃３に基づいて行われる。ＲＲメッセ
ージ＃２及び＃３から得られる更新要求＃２の内容は，いずれも”Ｕｐ”で一致しているため，基地局１は，更新要求＃２の内容が”Ｕｐ”であると判断する。しかしながら，受信誤りに起因して，２つのＲＲメッセージから得られる更新要求の内容が異なる場合があり得る。この場合，基地局１は，受信品質が高いＲＲメッセージから得られる更新要求の内容を，正しい更新要求の内容として採用する。即ち，基地局１は，受信誤りが発生しているＲＲメッセージから得られる更新要求の内容を廃棄する。受信誤りの発生は，受信されたＲＲメッセージが，規定のビット系列（即ち図８に示されているビット系列）のいずれにも一致していないことから容易に検出できる。例えば，図７では，ＲＲメッセージ＃４の受信誤りに起因して，ＲＲメッセージ＃３，＃４から得られる更新要求＃３の内容は互いに異なっている。この場合，基地局１は，受信誤りが発生しているＲＲメッセージ＃４から得られる更新要求＃３を無視し，ＲＲメッセージ＃３から得られる更新要求＃３の内容を，正しい更新要求＃３の内容であると決定する。【００５２】
このような通信手順によってＲＲメッセージを通信することにより，本実施形態の移動体通信システムは，更新要求の通信のスループットを低下させずに，更新要求の送信の信頼性の向上を実現することができる。本実施形態の移動体通信システムは，一つの更新要求から２つのＲＲメッセージを生成し，その２つのＲＲメッセージを２ＴＴＩに渡って送信する。これは，時間ダイバーシティの効果を高め，更新要求の送信の信頼性を有効に向上する。その一方で，本実施形態では，各ＲＲメッセージは，二つの更新要求から生成されるから，結局，一つのＴＴＩあたり一つの更新要求を送信可能である。従って，本実施形態の通信システムは，更新要求の通信のスループットの低下を回避することができる。【００５３】
同様の通信手順は，図９に示されているように，ＲＧメッセージの通信にも採用される。基地局１におけるＮ番目のＲＧメッセージ（ＲＧメッセージ＃Ｎ）の生成は，Ｎ−１番目のデータパケットの受信に同期して生成される更新指示（更新指示＃Ｎ−１）と，Ｎ番目のデータパケットの受信に同期して生成される更新指示（更
新指示＃Ｎ）とを符号化することによって行われる。更新指示とは，移動局２に許可ＴＦＣの変更を指示する制御データである。本実施形態の更新指示とは，背景技術で記述されているＲＲメッセージと等価の内容を有していることに留意されたい。ＲＧメッセージのフォーマットは，図８に示されているＲＲメッセージのフォーマットと同一である。【００５４】
基地局１によって逐次に生成されたＲＧメッセージは，下りＥ−ＤＰＣＣＨ６を介して移動局２に送信される。ＲＧメッセージの最小の送信間隔は，１ＴＴＩである。移動局２がＲＧメッセージから更新指示を再生する手順は，基地局１がＲＲメッセージから更新要求を再生する手順と同様である。移動局２は，ＲＧメッセージを受信すると，受信したＲＧメッセージの軟判定を行い，受信したＲＧメッセージの，最も確からしいビット系列を決定する。決定されたビット系列から，移動局２は，そのＲＧメッセージが示す更新指示の内容を認識する。即ち，移動局２は，Ｎ番目のＲＧメッセージから，Ｎ番目，Ｎ−１番目の更新指示の内容を認識する。更に，移動局２は，Ｎ番目の更新指示の内容を，最終的に，Ｎ番目のＲＧメッセージとＮ＋１番目のＲＧメッセージとから決定する。受信誤りに起因して，２つのＲＧメッセージから得られる更新指示の内容が異なる場合，移動局２は，受信品質が高いＲＧメッセージから得られる更新要求の内容を，正しい更新要求の内容として採用する。即ち，移動局２は，受信誤りが発生しているＲＧメッセージから得られる更新指示の内容を廃棄する。【００５５】
このような通信手順によってＲＧメッセージを通信することにより，本実施形態の移動体通信システムは，更新指示の通信のスループットを低下させずに，更新指示の送信の信頼性の向上を実現することができる。【００５６】
上述のようなＲＲメッセージ及びＲＧメッセージの通信方法は，更新要求及び更新指示の通信の信頼性を有効に向上する。これは，許可ＴＦＣの制御，即ち，ノイズライズの適切な制御を実現し，リソースの有効な活用のために好適である。その一方で，更新要求及び更新指示の通信のスループットは低下しない；即ち，上述の通信方法は，一つのＴＴＩあたり一つの更新要求，及び一つの更新指示を送信可能である。従って，上述の通信方法は，許可ＴＦＣの制御周期を，１ＴＴＩにすることが可能であり，ノイズライズの制御の追従性を有効に向上することができる。【００５７】
図１０は，上記の通信方法を実現する基地局１及び移動局２の構成の具体例を示している。図１０では，基地局１及び移動局２のうち，ＲＲメッセージ及びＲＧメッセージの交換に関与する部分の構成のみが示されていることに留意されたい。【００５８】
基地局１は，移動局２から上りＥ−ＤＰＤＣＨ４を介して送られるＲＲメッセージから更新指示を再生するために，ＲＲ判定部１６を備えている。ＲＲ判定部１６は，軟判定部１６ａ，メモリ１６ｂ，更新要求判定部１６ｃとを備えている。軟判定部１６ａは，各ＲＲメッセージの軟判定を行い，最も確からしいＲＲメッセージのビット系列を決定する。更に軟判定部１６ａは，Ｎ番目のＲＲメッセージについて決定されたビット系列からＮ−１番目とＮ番目の更新要求の内容を判断する。加えて，軟判定部１６ａは，各ＲＲメッセージの軟判定の信頼度を計算する。メモリ１６ｂは，軟判定部１６ａによって決定された更新要求の内容と，各ＲＲメッセージの信頼度を保存する。更新要求判定部１６ｃは，メモリ１６ｂに保存された更新要求の内容及びＲＲメッセージの信頼度から，各更新要求を最終的に決定する。既述のように，Ｎ番目の更新要求は，Ｎ番目のＲＲメッセージとＮ＋１番目のＲＲメッセージにから得られる更新要求から決定される。Ｎ番目のＲＲメッセージとＮ＋１番目のＲＲメッセージとから得られる更新要求が互いに異なる場合には，Ｎ番目の更新要求は，信頼度が高い方のＲＲメッセージから得られる更新要求であると決定される。【００５９】
ＲＲ判定部１６によって再生された更新要求に応答してＲＧメッセージを送信するために，基地局１は，更に，ノイズライズ判定部１７，最大ＴＦＣ更新部１８，ＲＧメッセージ生成部１９を備えている。ノイズライズ判定部１７は，基地局１のノイズライズを測定する。最大ＴＦＣ更新部１８は，ＲＲ判定部１６によって得られた更新要求と，基地局１のノイズライズから，各移動局２の最大ＴＦＣを決定し，決定された最大ＴＦＣを実現するような更新指示を生成する。更新指示は，ノイズライズが所定の閾値以上にならないような条件の下，可能な限り要求されたＴＦＣの使用が許可されるように決定される。ＲＧメッセージ生成部１９は，最大ＴＦＣ更新部１８によって生成された更新指示から，ＲＧメッセージを生成する。具体的には，ＲＧメッセージ生成部１９は，メモリ１９ａとメッセージ生成部１９ｂとを備えている。メモリ１９ａは，最大ＴＦＣ更新部１８によって生成された更新指示を受け取って保存する。メッセージ生成部１９ｂは，メモリ１９ａに保存されている更新指示からＲＧメッセージを生成する。既述の通り，Ｎ番目のＲＧメッセージは，Ｎ−１番目の更新指示と，Ｎ番目の更新指示から生成され，Ｎ＋１番目のＲＧメッセージは，Ｎ番目の更新指示と，Ｎ＋１番目の更新指示から生成される。Ｎ番目のＲＧメッセージの，Ｎ−１番目，及びＮ番目の更新指示との対応は，図８に示されているとおりである。生成されたＲＧメッセージは，送信処理部１５により，下りＥ−ＤＰＣＣＨ６を介して，移動局２に送信される。【００６０】
一方，移動局２は，ＲＧメッセージから更新指示を再生するために，ＲＧ判定部２５を備えている。ＲＧ判定部２５は，ＲＲ判定部１６がＲＲメッセージから更新要求を再生するのと同様の動作により，ＲＧメッセージから更新指示を再生する。具体的には，ＲＧ判定部２５は，軟判定部２５ａ，メモリ２５ｂ，更新指示判定部２５ｃとを備えている。軟判定部２５ａは，各ＲＧメッセージの軟判定を行い，最も確からしいＲＧメッセージのビット系列を決定する。Ｎ番目のＲＧメッセージについて決定されたビット系列は，Ｎ−１番目とＮ番目の更新指示の内容を示していることに留意されたい。加えて，軟判定部２５ａは，各ＲＧメッセージの軟判定の信頼度を計算する。メモリ２５ｂは，軟判定部２５ａによって決定されたＲＧメッセージのビット系列及び信頼度を保存する。更新指示判定部２５ｃは，メモリ２５ｂに保存されたＲＧメッセージのビット系列及び信頼度から，各更新指示を再生する。既述のように，Ｎ番目の更新指示は，Ｎ番目のＲＧメッセージとＮ＋１番目のＲＧメッセージから決定される。Ｎ番目のＲＧメッセージとＮ＋１番目のＲＧメッセージとから得られる更新指示が互いに異なる場合には，Ｎ番目の更新指示は，信頼度が高いＲＧメッセージから得られる更新指示であると決定される。【００６１】
移動局２は，データブロックの送信に使用されるＴＦＣを更新指示に応答して制御するために，ＴＦＣ選択部２６とＴＦＣ状態モニタ部２７とを備えている。ＴＦＣ選択部２６は，ＴＦＣＳとＵＥポインタとを保持しており（図２参照），ＵＥポインタによって示されている許可ＴＦＣのうちから，データブロックの送信に使用されるＴＦＣを選択する。ＴＦＣ選択部２６によって保持されているＵＥポインタは，ＲＧ判定部２５によって得られる更新指示に応じて調整される。言い換えれば，最大ＴＦＣの制御は，更新指示に応じて行われる。更新指示によって最大ＴＦＣの引き上げが指示されると，ＴＦＣ選択部２６は，ＵＥポインタを１だけ増加させ，最大ＴＦＣを引き上げる。逆に，更新指示によって最大ＴＦＣの引き下げが指示されると，ＴＦＣ選択部２６は，最大ＴＦＣを引き下げる。ＴＦＣ状態モニタ部２７は，送信処理部２２が現在の使用している送信電力とＴＦＣとから，ＴＦＣＳ内の各ＴＦＣについて，所定の通信品質で送信を行うために必要な所要送信電力を計算し，所要送信電力が最大電力以上となるようなＴＦＣの使用を禁止する。【００６２】
移動局２は，更に，データブロックの送信状況に応じてＲＲメッセージを最適に生成するために，要求ＴＦＣ更新部２８と，ＲＲメッセージ生成部２９とを備えている。要求ＴＦＣ更新部２８は，送信バッファ２１に蓄積されているデータブロックのデータ量から，データブロックの目標伝送速度を満足するために必要な要求ＴＦＣを算出する。更に，要求ＴＦＣ更新部２８は，要求ＴＦＣが最大ＴＦＣよりも大きく，且つ，最大ＴＦＣよりも１つ大きいＴＦＣの使用が禁止されていない場合には，最大ＴＦＣの引き上げを要求する更新要求を生成してＲＲメッセージ生成部２９に供給する。そうでない場合には，要求ＴＦＣ更新部２８は，最大ＴＦＣの引き下げを要求する更新要求を生成してＲＲメッセージ生成部２９に供給する。ＲＲメッセージ生成部２９は，基地局１のＲＧメッセージ生成部１９が更新指示からＲＧメッセージを生成するのと同様の動作により，要求ＴＦＣ更新部２８から供給される更新要求からＲＲメッセージを生成する。具体的には，ＲＲメッセージ生成部２９は，メモリ２９ａとメッセージ生成部２９ｂとを備えている。メモリ２９ａは，要求ＴＦＣ更新部２８から供給される更新要求を受け取って保存する。メッセージ生成部２９ｂは，メモリ２９ａに保存されている更新要求からＲＲメッセージを生成する。既述の通り，Ｎ番目のＲＲメッセージは，Ｎ−１番目の更新要求と，Ｎ番目の更新要求から生成され，Ｎ＋１番目のＲＲメッセージは，Ｎ番目の更新要求と，Ｎ＋１番目の更新要求から生成される。Ｎ番目のＲＲメッセージの，Ｎ−１番目，及びＮ番目の更新要求との対応は，図８に示されているとおりである。生成されたＲＲメッセージは，送信処理部２２により，上りＥ−ＤＰＣＣＨ５を介して，基地局１に送信される。【００６３】
図１１は，ＲＲメッセージ及びＲＧメッセージによって移動局２の最大ＴＦＣが制御される過程を示すフローチャートである。ただし，初期的に，Ｎ−１番目の更新要求がＲＲメッセージ生成部２９のメモリ２９ａに保存されていることが仮定されていることに留意されたい。【００６４】
ＲＲメッセージの生成は，以下のようにして行われる。あるＴＴＩ（Ｎ番目のＴＴＩ）において移動局２の要求ＴＦＣ更新部２８によりＮ番目の更新要求が生成されると，そのＮ番目の更新要求は，ＲＲメッセージ生成部２９のメモリ２９ａに保存される（ステップＳ２１）。Ｎ−１番目の更新要求とＮ番目の更新要求から，Ｎ番目のＲＧメッセージが生成され，上りＥ−ＤＰＣＣＨ５を介して基地局１に送信される（ステップＳ２２）。続いて，次のＴＴＩ（Ｎ＋１番目のＴＴＩ）においてＮ＋１番目の更新要求が，要求ＴＦＣ更新部２８により生成され，メモリ２９ａに保存される（ステップＳ２３）。Ｎ番目の更新要求とＮ＋１番目の更新要求から，Ｎ＋１番目のＲＧメッセージが生成され，上りＥ−ＤＰＣＣＨ５を介して基地局１に送信される（ステップＳ２４）。【００６５】
基地局１は，Ｎ番目，Ｎ＋１番目のＲＲメッセージに応答してＮ番目，Ｎ＋１番目のＲＧメッセージを生成し，それらのＲＧメッセージを下りＥ−ＤＰＣＣＨ６を介して移動局２に送信する。移動局２では，以下の動作により，ＲＧメッセージに応答した最大ＴＦＣの調整が行われる。Ｎ番目のＲＧメッセージが移動局２によって受信されると，Ｎ番目のＲＧメッセージに記述されているＮ−１番目の更新指示とＮ番目の更新指示とがＲＧ判定部２５の軟判定部２５ａによって認識され，メモリ２５ｂに保存される（ステップＳ２５）。同様に，Ｎ＋１番目のＲＧメッセージに記述されているＮ番目の更新指示とが認識され，メモリ２５ｂに保存される（ステップＳ２６）。続いて，更新指示判定部２５ｃにより，Ｎ番目のＲＧメッセージから得られるＮ番目の更新指示と，Ｎ＋１番のＲＧメッセージから得られるＮ番目の更新指示とが比較される。両者が一致する場合には，Ｎ番目の更新指示に応答してＵＥポインタが更新される（ステップＳ２８）。一方，両者が一致しない場合には，軟判定における信頼度が高いＲＧメッセージから得られるＮ番目の更新指示が，最終的に，Ｎ番目の更新指示であると決定され，決定されたＮ番目の更新指示に応答してＵＥポインタが更新される（ステップＳ２９）。【００６６】
このような移動局２の動作は，上述のＲＲメッセージ及びＲＧメッセージの通信方法を具体的に実現するものであることは，容易に理解されよう。【００６７】
（送信バッファの制御）
好適な実施形態では，移動体通信システム１０は，移動局２の送信バッファ２１に保存されているデータブロックのデータ量に応答して，各移動局２の許可ＴＦＣが決定されるように構成される。この場合，各移動局２は，送信バッファ２１のデータ量を，上述のＲＲメッセージと同様の手順で上りＥ−ＥＰＣＣＨ５を介して基地局１に送信するように構成されることが好適である。【００６８】
具体的には，各移動局２は，送信バッファ２１のデータ量の送信を，以下の手順で行うことが好適である。各移動局２は，その送信バッファ２１に保存されているデータブロックのデータ量を周期的に測定する。更に，各移動局２は，Ｎ−１番目に測定されたデータ量とＮ番目に測定されたデータ量とを符号化することにより，Ｎ番目のデータ量メッセージを生成する。以下では，ｋ番目に測定されたデータ量は，単に，ｋ番目のデータ量と記載される。生成されたデータ量メッセージに許されるビット系列は，予め規定されており，Ｎ番目のデータ量メッセージのビット系列は，Ｎ−１番目，Ｎ番目のデータ量に基づいて予め規定されたビット系列から選択される。同様に，Ｎ番目，Ｎ＋１番目に測定されたデータ量から，Ｎ＋１番目のデータ量メッセージのビット系列が決定される。データ量メッセージは，最短で，１ＴＴＩ毎に送信される。【００６９】
Ｎ番目，Ｎ＋１番目のデータ量メッセージが基地局１に送信されると，基地局１は，Ｎ番目，Ｎ＋１番目のデータ量メッセージから，Ｎ番目に測定されたデータ量を再生する。Ｎ番目に測定されたデータ量を再生する手順は，Ｎ番目，Ｎ＋１番目のＲＲメッセージからＮ番目の更新要求を再生する手順と同様である。【００７０】
各移動局２の送信バッファ２１のデータ量が再生されると，基地局１は，そのデータ量に応答して，送信バッファ２１のデータ量が大きい移動局２の最大ＴＦＣを優先的に増加させる。これにより，ノイズライズの最適な制御が実現できる。【００７１】
上記のような通信方法で送信バッファ２１のデータ量を送信することにより，データ量の送信のスループットの低下を回避しながら，データ量の送信の信頼性を向上することができる。【００７２】
送信バッファ２１のデータ量は，ＡＣＫ／ＮＡＣＫメッセージと同様の通信方法により，基地局１に通知されることも可能である。この場合，各データ量メッセージは，第１フィールドと第２フィールドとから構成され，Ｎ番目のデータ量メッセージの第１フィールドにはＮ番目に測定されたデータ量が，第２フィールドにはＮ
−１番目に測定されたデータ量が格納される。同様に，Ｎ＋１番目のデータ量メッセージの第１フィールドにはＮ＋１番目に測定されたデータ量が，第２フィールドにはＮ番目に測定されたデータ量が格納される。Ｎ番目のデータ量は，Ｎ番目のデータ量メッセージとＮ＋１番目のデータ量メッセージとから再生される。Ｎ番目の，Ｎ＋１番目のデータ量メッセージからＮ番目のデータ量を再生する手順は，Ｎ番目，Ｎ＋１番目のＡＣＫ／ＮＡＣＫメッセージからＮ番目の誤り判定データを再生する手順と同様である。【００７３】
以上に説明されているように，本実施形態の移動体通信システム１０では，１つの制御データ（即ち，誤り判定データ，更新要求，更新指示，及び送信バッファ２１のデータ量）が，２つの制御メッセージ（即ち，ＡＣＫ／ＮＡＣＫメッセージ，ＲＲメッセージ，ＲＧメッセージ，及びデータ量メッセージ）の生成に使用され，その２つの制御メッセージが２ＴＴＩに渡って送信される。加えて，各制御メッセージは，２つの制御データから生成され，各ＴＴＩで送信される。これによりデータブロック及び制御データの通信のスループットの低下を抑制しながら，制御データの通信の信頼性が向上される。【００７４】
なお，１つの制御データから生成される制御メッセージの数，及び各制御メッセージの生成に使用される制御データの数は，２以外であることも可能である。一般的に，１つの制御データから生成される制御メッセージの数，及び各制御メッセージの生成に使用される制御データの数がＭである場合には，以下のようにして制御メッセージが生成され得る。ｋ番目の制御データは，ｋ番目乃至（ｋ＋Ｍ−１）番目の制御メッセージの生成に使用され，ｊ番目の制御メッセージは，（ｊ−Ｍ＋１）乃至ｊ番目の制御データから生成される。生成された制御メッセージは，データブロックと同一のＴＴＩで送信される。一方，ｋ番目の制御データは，ｋ番目乃至（ｋ＋Ｍ−１）番目の制御メッセージから再生される。上記の実施形態は，Ｍが２である場合に相当していることは，容易に理解されよう。Ｍの増大は，制御データの通信の信頼性の向上に好適である。【００７５】
加えて，本発明は，本実施形態で記述された制御データ以外の制御データの通信にも適用可能であることに留意されたい。
【図１Ａ】
2005109724.tif 000002
【図１Ｂ】
2005109724.tif 000003
【図２】
2005109724.tif 000004
【図３】
2005109724.tif 000005
【図４】
2005109724.tif 000006
【図５】
2005109724.tif 000007
【図６】
2005109724.tif 000008
【図７】
2005109724.tif 000009
【図８】
2005109724.tif 000010
【図９】
2005109724.tif 000011
【図１０】
2005109724.tif 000012
【図１１】
2005109724.tif 000013
【国際調査報告】
2005109724.tif 000014
2005109724.tif 000015
2005109724.tif 000016
2005109724.tif 000017